(57)【要約】【課題】  高温異常に対する誤判定の発生を可及的に防止して注湯を継続し得るようにする一方、メンテナンスが真に必要な場合にはその旨の報知や対策を確実に実行し得る風呂装置を提供する。【解決手段】  注湯弁を開にして追焚循環路に注湯する注湯運転中に、風呂熱交換器下流側の往き路の往き温度が判定温度以上の高温異常になったら（ＳＡ１でＹＥＳ）、高温判定回数Ｎが設定回数αに到達していないことを確認して（ＳＡ２でＮＯ）、循環ポンプの一時的な強制作動と、注湯弁の閉作動・開作動を続けて行うリセット作動処理を行うと共にＮをインクリメントし、その上で、ＳＡ１の往き温度の確認を行うという判定処理をする。判定処理を設定回数まで行っても高温異常であれば注湯を強制停止させる（ＳＡ４）。【選択図】      図４
2012037208.tif 000002
【特許請求の範囲】
【請求項１】
浴槽内の浴槽水を追焚加熱するための追焚循環回路に対し注湯回路の下流端を接続することにより、注湯回路からの注湯が追焚循環回路を通して浴槽に注湯可能に構成された風呂装置であって、
追焚循環回路は、熱源の供給を受けて浴槽水を追焚加熱する風呂熱交換器と、循環ポンプと、この循環ポンプの作動により前記風呂熱交換器に対し前記浴槽からの浴槽水を送る戻り流路及び前記風呂熱交換器から浴槽水を前記浴槽に送る往き流路からなる追焚循環路と、前記風呂熱交換器近傍の前記往き流路に設けられた温度センサとを備えて構成されており、
注湯回路の注湯弁を開作動させて注湯する注湯運転中に、前記温度センサにより検出される検出温度が所定の高温異常状態となる高温異常を検知したとき高温異常対策制御を実行する高温異常対策制御手段を備え、
前記高温異常対策制御手段は、前記高温異常を検知したとき、前記循環ポンプを一定時間だけ強制作動させた後にこれを停止させ、その上で前記温度センサにより検出される検出温度を確認するという判定処理を実行し、前記高温異常を再度検知したときは前記循環ポンプを強制作動させた上で前記検出温度を確認する前記判定処理を繰り返し、この判定処理を設定回数繰り返しても前記高温異常を検出するときは高温異常判定を確定させて前記注湯運転を強制停止させるように構成されている、
ことを特徴とする風呂装置。
【請求項２】
浴槽内の浴槽水を追焚加熱するための追焚循環回路に対し注湯回路の下流端を接続することにより、注湯回路からの注湯が追焚循環回路を通して浴槽に注湯可能に構成された風呂装置であって、
追焚循環回路は、熱源の供給を受けて浴槽水を追焚加熱する風呂熱交換器と、循環ポンプと、この循環ポンプの作動により前記風呂熱交換器に対し前記浴槽からの浴槽水を送る戻り流路及び前記風呂熱交換器から浴槽水を前記浴槽に送る往き流路からなる追焚循環路と、前記風呂熱交換器近傍の前記往き流路に設けられた温度センサとを備えて構成されており、
注湯回路の注湯弁を開作動させて注湯する注湯運転中に、前記温度センサにより検出される検出温度が所定の高温異常状態となる高温異常を検知したとき高温異常対策制御を実行する高温異常対策制御手段を備え、
前記高温異常対策制御手段は、前記高温異常を検知したとき、前記循環ポンプを一定時間だけ強制作動させた後にこれを停止させる強制循環処理と、前記注湯弁を一旦閉作動させてから再び開作動させるリセット作動処理とを実行し、その上で前記温度センサにより検出される検出温度を確認するという判定処理を実行し、前記高温異常を再度検知したときは前記強制循環処理及びリセット作動処理を実行した上で前記検出温度を確認するという前記判定処理を繰り返し、この判定処理を設定回数繰り返しても前記高温異常を検出するときは高温異常判定を確定させて前記注湯運転を強制停止させるように構成されている、
ことを特徴とする風呂装置。
【請求項３】
請求項１又は請求項２に記載の風呂装置であって、
前記高温異常対策制御手段は、注湯運転を強制停止させた場合は、併せてエラー報知を実行するように構成されている、風呂装置。
【請求項４】
請求項１〜請求項３のいずれかに記載の風呂装置であって、
暖房温水循環回路と、この暖房温水循環回路で循環供給される温水を前記風呂熱交換器に対し熱源として循環供給するための熱源循環路と、この熱源循環路を通して前記風呂熱交換器に対し温水を循環供給又は循環供給停止を切換える熱動弁とを備えている、風呂装置。
【発明の詳細な説明】
【技術分野】
【０００１】
本発明は、浴槽への注湯が追焚用の風呂熱交換器をも経由して行われるように構成された風呂装置に関し、特に風呂熱交換器を経由した後の経路での温度検出により高温異常状態が発生しているとの誤判定の発生を防止し得る技術に係る。
【背景技術】
【０００２】
従来、風呂追焚運転の際に、熱動弁を開作動させて暖房循環路から高温水を熱源として追焚用の液−液熱交換器に供給する一方、その液−液熱交換器に対し浴槽水を循環させることで追焚を行う場合に、前記熱動弁に開指令信号を発したにも拘わらず、追焚循環回路に温度上昇が見られない場合、前記熱動弁が故障であると判定する点が記載されている（例えば特許文献１参照）。
【０００３】
又、例えば特許文献２には、浴槽への注湯運転の際には、暖房温水循環回路の循環運転を一旦停止させて追焚用の液−液熱交換器に対する暖房温水循環回路からの高温水の供給を停止させる点が記載されている。
【先行技術文献】
【特許文献】
【０００４】
【特許文献１】特開平７−２３９１４９号公報
【特許文献２】特開平９−２１０３７９号公報
【発明の概要】
【発明が解決しようとする課題】
【０００５】
ところで、追焚用の加熱部が暖房温水循環路からの高温水を熱源として循環供給される液−液熱交換器により構成され、この液−液熱交換器と浴槽とを追焚循環路により接続することで追焚し得るように構成される一方、給湯回路からの注湯が追焚循環路の途中（例えば戻り流路の途中）に流入するように構成された風呂装置においては、注湯が追焚循環路の戻り流路及び往き流路の双方の経路を通して浴槽に搬送されることになる。つまり、注湯は、戻り流路の途中から戻り流路の上流側へ流れて浴槽に流入するように搬送されると共に、前記戻り流路の途中から戻り流路の下流側へ流れて液−液熱交換器に至り、液−液熱交換器を通過して往き流路を経由して浴槽に流入するように搬送される、というようにいわゆる両搬送状態により浴槽まで注がれることになる。
【０００６】
このような場合に、前記液−液熱交換器から浴槽に至る往き流路での温度検出値により所定の高温が検出された場合には、高温異常とエラー判定して注湯を停止させるようにすることが考えられる。
【０００７】
しかしながら、このような高温異常は、追焚用の熱動弁の故障（閉制御したにも拘わらず開のままになる故障）により発生する他に、例えば両搬送とはいえ通水抵抗のアンバランス等に起因して搬送量に偏りが生じたり、注湯弁に一過性の故障が生じたりして往き流路内が滞留傾向になって液−液熱交換器からの残熱の伝熱を受けるという注湯異常によっても発生し得ると考えられる。つまり、熱動弁の故障等のように注湯運転を即座に停止させてメンテナンスが必要な場合の他に、何らかの処理を施せば正常状態に復帰し得る場合もあり、このような場合にまで高温異常としてエラー判定することは誤判定につながるおそれがある。
【０００８】
本発明は、このような事情に鑑みてなされたものであり、その目的とするところは、高温異常に対する誤判定の発生を可及的に防止して注湯を継続し得るようにする一方、メンテナンスが真に必要な場合にはその旨の報知や対策を確実に実行し得る風呂装置を提供することにある。
【課題を解決するための手段】
【０００９】
上記目的を達成するために、第１の発明では、浴槽内の浴槽水を追焚加熱するための追焚循環回路に対し注湯回路の下流端を接続することにより、注湯回路からの注湯が追焚循環回路を通して浴槽に注湯可能に構成された風呂装置を対象にして次の特定事項を備えることとした。すなわち、追焚循環回路として、熱源の供給を受けて浴槽水を追焚加熱する風呂熱交換器と、循環ポンプと、この循環ポンプの作動により前記風呂熱交換器に対し前記浴槽からの浴槽水を送る戻り流路及び前記風呂熱交換器から浴槽水を前記浴槽に送る往き流路からなる追焚循環路と、前記風呂熱交換器近傍の前記往き流路に設けられた温度センサとを備えて構成されたものとする。そして、注湯回路の注湯弁を開作動させて注湯する注湯運転中に、前記温度センサにより検出される検出温度が所定の高温異常状態となる高温異常を検知したとき高温異常対策制御を実行する高温異常対策制御手段を備えることとする。加えて、この高温異常対策制御手段として、前記高温異常を検知したとき、前記循環ポンプを一定時間だけ強制作動させた後にこれを停止させ、その上で前記温度センサにより検出される検出温度を確認するという判定処理を実行し、前記高温異常を再度検知したときは前記循環ポンプを強制作動させた上で前記検出温度を確認する前記判定処理を繰り返し、この判定処理を設定回数繰り返しても前記高温異常を検出するときは高温異常判定を確定させて前記注湯運転を強制停止させる構成とする。
【００１０】
第１の発明の場合、前記温度センサの設置位置付近の往き流路に高温の湯水が滞留していたり、前記温度センサが風呂熱交換器に近すぎて僅かな状況変化で熱源からの伝熱を受け易くなっていたりすることに起因する高温異常の発生を、循環ポンプの強制作動により解消させることが可能となる。その上で前記温度センサの検出温度を再度確認するようにしているため、このような高温異常の発生を、風呂熱交換器への熱源供給等に係る機器故障等の本来のメンテナンス要の異常発生として誤判定してしまうことを回避し得ることになり、これにより、高温異常について誤検知することを確実に防止することが可能となる。その一方、前記の本来のメンテナンス要の異常発生のときには、前記判定処理を設定回数繰り返しても高温異常の検知となる場合には高温異常判定を確定させて注湯運転を強制停止させるという対策制御を確実に実行することが可能となる。
【００１１】
第２の発明では、浴槽内の浴槽水を追焚加熱するための追焚循環回路に対し注湯回路の下流端を接続することにより、注湯回路からの注湯が追焚循環回路を通して浴槽に注湯可能に構成された風呂装置を対象にして次の特定事項を備えることとした。すなわち、追焚循環回路として、熱源の供給を受けて浴槽水を追焚加熱する風呂熱交換器と、循環ポンプと、この循環ポンプの作動により前記風呂熱交換器に対し前記浴槽からの浴槽水を送る戻り流路及び前記風呂熱交換器から浴槽水を前記浴槽に送る往き流路からなる追焚循環路と、前記風呂熱交換器近傍の前記往き流路に設けられた温度センサとを備えて構成されたものとする。そして、注湯回路の注湯弁を開作動させて注湯する注湯運転中に、前記温度センサにより検出される検出温度が所定の高温異常状態となる高温異常を検知したとき高温異常対策制御を実行する高温異常対策制御手段を備えることとする。加えて、前記高温異常対策制御手段として、前記高温異常を検知したとき、前記循環ポンプを一定時間だけ強制作動させた後にこれを停止させる強制循環処理と、前記注湯弁を一旦閉作動させてから再び開作動させるリセット作動処理とを実行し、その上で前記温度センサにより検出される検出温度を確認するという判定処理を実行し、前記高温異常を再度検知したときは前記強制循環処理及びリセット作動処理を実行した上で前記検出温度を確認するという前記判定処理を繰り返し、この判定処理を設定回数繰り返しても前記高温異常を検出するときは高温異常判定を確定させて前記注湯運転を強制停止させる構成とする。
【００１２】
第２の発明の場合、第１の発明と同様に、前記温度センサの設置位置付近の往き流路に高温の湯水が滞留していたり、前記温度センサが風呂熱交換器に近すぎて僅かな状況変化で熱源からの伝熱を受け易くなっていたりすることに起因する高温異常の発生を、循環ポンプの強制作動により解消させることが可能となる。一方、注湯弁に突発的又は一過性の不調現象が生じて本来は開状態の筈が閉状態に解除されているなどの不具合が発生し、これに起因する高温異常が発生していたとしても、前記のリセット作動処理によって注湯弁を正常な開状態に復帰させることが可能となって高温異常の発生を解消させることが可能になる。従って、注湯弁に前記の不調現象が生じている場合には循環ポンプの強制作動によっても高温異常の発生を解消させ得ない場合があるところ、循環ポンプの強制作動に加えて注湯弁のリセット作動処理をも併せて実行させるようにしているため、このような原因による高温異常の発生を、風呂熱交換器への熱源供給等に係る機器故障等の本来のメンテナンス要の異常発生として誤判定してしまうことをより確実に回避し得ることになり、これにより、高温異常について誤検知することを確実に防止することが可能となる。その一方、前記の本来のメンテナンス要の異常発生のときには、第１の発明の場合と同様に、前記判定処理を設定回数繰り返しても高温異常の検知となる場合には高温異常判定を確定させて注湯運転を強制停止させるという対策制御を確実に実行することが可能となる。
【００１３】
又、第１又は第２の本発明の風呂装置における高温異常対策制御手段として、注湯運転を強制停止させた場合は、併せてエラー報知を実行するように構成することができる（請求項３）。このようにすることにより、ユーザに対しメンテナンスが必要な高温異常状態が発生していること、注湯運転が強制停止された理由はそのためであること等を確実に報知して認識させ得るようになる。
【００１４】
さらに、第１又は第２の本発明の風呂装置に対し、暖房温水循環回路と、この暖房温水循環回路で循環供給される温水を前記風呂熱交換器に対し熱源として循環供給するための熱源循環路と、この熱源循環路を通して前記風呂熱交換器に対し温水を循環供給又は循環供給停止を切換える熱動弁とを備えるようにすることができる（請求項４）。このようにすることにより、前記熱動弁の故障により注湯運転中は閉状態に切換作動したにも拘わらず熱動弁が開状態のままとなっていることに起因する真に対策が必要な異常の発生を、前記高温異常判定の確定により検知して注湯運転を強制停止させることが可能となる。
【発明の効果】
【００１５】
以上、説明したように、請求項１、請求項３又は請求項４の風呂装置によれば、温度センサの設置位置付近の往き流路に高温の湯水が滞留していたり、前記温度センサが風呂熱交換器に近すぎて僅かな状況変化で熱源からの伝熱を受け易くなっていたりすることに起因する高温異常の発生を、循環ポンプの強制作動により解消させることができる。その上で前記温度センサの検出温度を再度確認するようにしているため、そのような高温異常の発生を、風呂熱交換器への熱源供給等に係る機器故障等の本来のメンテナンス要の異常発生として誤判定してしまうことを回避することができるようになり、これにより、高温異常について誤検知することを確実に防止することができるようになる。その一方、判定処理を設定回数繰り返しても高温異常の検知となる場合には高温異常判定を確定させて注湯運転を強制停止させるようにしているため、本来のメンテナンス要の異常発生のときの対策制御を確実に実行することができるようになる。
【００１６】
又、請求項２〜請求項４のいずれかに記載の風呂装置によれば、前記の風呂装置の場合と同様に、前記温度センサの設置位置付近の往き流路に高温の湯水が滞留していたり、前記温度センサが風呂熱交換器に近すぎて僅かな状況変化で熱源からの伝熱を受け易くなっていたりすることに起因する高温異常の発生を、循環ポンプの強制作動により解消させることができる。これに加えて、注湯弁に突発的又は一過性の不調現象が生じて本来は開状態の筈が閉状態に解除されているなどの不具合が発生し、これに起因する高温異常が発生していたとしても、リセット作動処理によって注湯弁を正常な開状態に復帰させることができ、高温異常の発生を解消させることができる。従って、注湯弁に前記の不調現象が生じている場合には循環ポンプの強制作動によっても高温異常の発生を解消させ得ないところ、循環ポンプの強制作動に加えて注湯弁のリセット作動処理をも併せて実行させるようにしているため、このような原因による高温異常の発生を、風呂熱交換器への熱源供給等に係る機器故障等の本来のメンテナンス要の異常発生として誤判定してしまうことをより確実に回避することができ、これにより、高温異常について誤検知することを確実に防止することができるようになる。その一方、判定処理を設定回数繰り返しても高温異常の検知となる場合には高温異常判定を確定させて注湯運転を強制停止させるようにしているため、請求項１等の風呂装置の場合と同様に、本来のメンテナンス要の異常発生のときの対策制御を確実に実行することができるようになる。
【００１７】
特に、請求項３によれば、高温異常対策制御手段として、注湯運転を強制停止させた場合は、併せてエラー報知を実行するように構成することで、ユーザに対しメンテナンスが必要な高温異常状態が発生していること、注湯運転が強制停止された理由はそのためであること等を確実に報知して認識させることができるようになる。
【００１８】
さらに、請求項４によれば、暖房温水循環回路と、この暖房温水循環回路で循環供給される温水を前記風呂熱交換器に対し熱源として循環供給するための熱源循環路と、この熱源循環路を通して前記風呂熱交換器に対し温水を循環供給又は循環供給停止を切換える熱動弁とを備えるようにすることで、前記熱動弁の故障により注湯運転中は閉状態に切換作動したにも拘わらず熱動弁が開状態のままとなっていることに起因する真に対策が必要な異常の発生を、前記高温異常判定の確定により検知して注湯運転を強制停止させることができるようになる。
【図面の簡単な説明】
【００１９】
【図１】本発明の実施形態に係る風呂装置の要部を示す模式図である。
【図２】図１の風呂装置が適用される具体的な風呂装置の一例を示す模式図である。
【図３】風呂装置の高温異常発生か否かの第１実施形態に係る判定処理のフローチャートである。
【図４】風呂装置の高温異常発生か否かの第２実施形態に係る判定処理のフローチャートである。
【発明を実施するための形態】
【００２０】
以下、本発明の実施形態を図面に基づいて説明する。
【００２１】
図１は実施形態に係る風呂装置の要部を示し、この風呂装置は、給湯回路２と、液−液熱交換式に構成された風呂熱交換器３１により浴槽Ｂの湯水を追焚加熱する追焚循環回路３と、給湯回路２からの出湯を追焚循環回路３の後述の戻り流路３２ａに供給することで浴槽Ｂに注湯する注湯回路４とを備えたものである。なお、図１では給湯回路２の給湯用熱源機２１として潜熱回収機能を付加した高効率型のものを用いたものを例示している。
【００２２】
給湯回路２は、給湯用熱源機２１と、この給湯用熱源機２１に対し水道水等の給水を入水させる入水路２２と、給湯用熱源機２１で熱交換加熱された湯が出湯される出湯路２３とを備えている。給湯用熱源機２１は燃焼バーナ２４の燃焼に伴う顕熱により主加熱する一次熱交換器２５と、燃焼排ガスから潜熱を回収して予熱する二次熱交換器２６とを備え、入水をまず二次熱交換器２６に通して予熱した上で、一次熱交換器２５に通すようになっている。出湯路２３の途中には入水路２２から分岐された混水用のバイパス路２７が合流されており、一次熱交換器２５からの出湯に対し混合弁２７ａにより入水路２２からの水を所定量混水して設定給湯温度に温調した上で給湯栓２８等に給湯されるようになっている。前記の入水路２２には入水流量を検出する入水量センサ２２ａと、入水温度を検出する入水温度センサ２２ｂとが設けられ、前記のバイパス路２７の合流点よりも下流側位置の出湯路２３には出湯流量を調整する流量調整弁２３ａと、出湯温度を検出する出湯温度センサ２３ｂとが設けられている。そして、前記の出湯路２３から注湯回路４の注湯路４１の上流端が分岐され、下流端が上記追焚循環回路３の戻り流路３２ａに対し合流点Ｍで接続され、出湯路２３の湯が注湯路４１及び戻り流路３２ａを通して浴槽Ｂに注湯可能とされている。
【００２３】
追焚循環回路３は、前記の風呂熱交換器３１が追焚循環路３２に介装されたものであり、この追焚循環路３２は戻り流路３２ａ及び往き流路３２ｂにより構成されたものである。そして、追焚用の循環ポンプ３３の作動により浴槽Ｂからふろ戻り流路３２ａを通して取り出された浴槽水が風呂熱交換器３１に対し入口３１ａから流入され、この風呂熱交換器３１内において熱源との液−液熱交換により追焚加熱され、追焚加熱後の浴槽水が往き流路３２ｂを通して浴槽Ｂに送られるようになっている。戻り流路３２ａには循環ポンプ３３の他に水の流れを検知してＯＮ信号を出力する水流スイッチ３４と、浴槽水の温度を検出する戻り温度センサ３５とが設けられ、往き流路３２ｂには風呂熱交換器３１の出口３１ｂの下流側の近傍位置に追焚加熱後の浴槽水の温度を検出する往き温度センサ３６が設けられている。又、前記の風呂熱交換器３１には熱源を循環供給するための熱源循環路５１が接続され、この熱源循環路５１に介装された追焚用の風呂熱動弁５２を開閉切換することで、熱源を循環供給させたりその循環供給を停止させたりと切換して、追焚加熱のＯＮ・ＯＦＦ切換が行われるようになっている。
【００２４】
注湯回路４は、前記の注湯路４１と、この注湯路４１に介装された注湯弁４２とを備えたものである。注湯路４１には、注湯弁４２の他に、注湯流量を検出する注湯量センサ４３や、一対の逆止弁４４等が介装されている。
【００２５】
以上のような風呂装置の具体例として、図２に例示するような風呂装置が挙げられる。この図２の風呂装置は、風呂熱交換器３１に循環供給する熱源として暖房温水循環回路６からの高温水を利用したものである。この図２の風呂装置は、給湯機能、温水循環式の温水暖房機能、風呂追焚機能、注湯機能の各機能を併有する複合型に構成されたものであり、燃焼加熱部において顕熱に加え燃焼排ガスから潜熱回収を行うことにより高効率化を図る潜熱回収型のものを例示している。なお、本発明を実施する上では、図１に示した構成を備えておればよく、温水暖房機能は必須ではない。
【００２６】
図２の風呂装置は、給湯回路２、追焚循環回路３又は注湯回路４は、図１の風呂装置に示したものと同様構成を備えており、図１の風呂熱交換器３１に対する熱源の循環供給に係る構成が暖房温水循環回路６からのものである点で具体化されている。
【００２７】
暖房温水循環回路６の暖房用熱源機６１は、給湯用熱源機２１と同様に、燃焼バーナ６２の燃焼に伴う顕熱により主加熱する一次熱交換器６３と、燃焼排ガスから潜熱を回収して予熱する二次熱交換器６４とを備えている。そして、暖房温水循環回路６は、温水循環路６５と、暖房用循環ポンプ６６とを備え、低温水と高温水との２種類の温度の温水を低温用・高温用の複数種類の暖房端末に循環供給するようになっている。
【００２８】
すなわち、前記の温水循環路６５は、膨張タンク６７に戻されて貯留される低温水を暖房用循環ポンプ６６の作動により一次熱交換器６３に送り、ここで燃焼バーナ６２により加熱した後の高温水を熱源循環路６８（図１の熱源循環路５１を構成）を通して風呂熱交換器３１に熱源として供給したり、高温水供給路６９及び高温往きヘッダー７０を介して例えば浴室乾燥機等の高温用暖房端末７１に供給したりされるようになっている。風呂熱交換器３１に対する高温水（熱源）の供給・供給停止の切換は熱動弁６８ａ（図１の熱動弁５２を構成）の開閉切換によって行われるようになっている。又、上記の循環ポンプ６６の作動により、膨張タンク６７内の低温水を低温往きヘッダー７２を介して例えば床暖房機等の低温用暖房端末７３に供給し、全ての暖房端末７１，７３から放熱により低温になった低温水を戻りヘッダー７４及び低温水供給路７５を介して潜熱回収用の二次熱交換器６４に通し、予熱した上で膨張タンク６７に戻すというように、循環させるようになっている。
【００２９】
図２中の符号８はドレン水処理回路であり、ドレン水処理回路８は、二次熱交換器２６，６４において燃焼排ガスが潜熱回収のための熱交換により冷やされて凝縮することにより生じたドレン水を導出し、導出したドレン水を、中和材が充填された中和処理槽８１において中和処理を加えた上で排水等させるために設置された回路である。
【００３０】
以上の図１又は図２の風呂装置は、コントローラ９によって給湯運転、注湯運転及び追い焚き運転等の各種の運転制御がリモコン９１からの出力及び上記の各種センサからの出力等に基づいて行われる他、注湯運転の際に高温異常が発生しているか否かの判定及び高温異常発生との高温異常判定時の対策等の高温異常対策制御が行われるようになっている。このような作動制御のために、コントローラ９は、給湯制御手段等の種々の制御手段に加え、特に高温異常対策制御のために高温異常対策制御手段を備えている。なお、前記のコントローラ９は、ＭＰＵ、ＲＯＭ及びＲＡＭ等を備え、前記の給湯制御手段等や高温異常対策制御手段等の各機能を実現するための各種の制御用プログラムが格納されたマイクロコンピュータを主要部として構成されたものである。
【００３１】
給湯制御手段による給湯運転制御の概略を説明すると、給湯要求(例えばユーザによる給湯栓２８の開操作や、注湯指令に基づく注湯弁４２の開作動)により入水路２２への入水流量が最低作動流量（ＭＯＱ）以上になったことが入水流量センサ２２ａにより検出されれば、燃焼バーナ２４等の燃焼系を作動制御することにより、出湯路２３に出湯される出湯温度が所定温度になるように所定の燃焼量で燃焼バーナ２４を燃焼させるようになっている。そして、出湯路２３に出湯させた湯と、バイパス路２７を通して出湯路２３に分岐入水させた水とを混合させて温調させることにより、給湯栓２８に給湯される湯の温度がリモコン９１に設定された設定給湯温度（設定注湯温度）になるように作動制御するようになっている。
【００３２】
又、リモコン９１の風呂自動スイッチがＯＮ操作されると、注湯運転制御及び注湯後の追焚運転制御が自動処理により実行され、又は、リモコン９１の注湯スイッチがＯＮ操作されると、注湯運転制御が実行されることになる。注湯運転制御は、熱動弁５２がそれ以前に閉作動されていればそのまま、熱動弁５２が開状態であれば熱動弁５２を閉作動させた後に、注湯弁４２を開作動させることで開始される。この開作動により機外からの給水圧を受けて入水路２２に対し入水され、入水路２２への入水流量が最低作動流量（ＭＯＱ）以上になったことが入水流量センサ２２ａにより検出されれば燃焼バーナ２４が燃焼作動され、出湯路２３から設定注湯温度の湯が注湯路４１に供給された後、戻り流路３２ａの合流点Ｍに供給されることになる。そして、合流点Ｍから２方向に分かれ、一方は戻り流路３２ａの上流側に流れて浴槽Ｂに注がれ、他方は戻り流路３２ａの下流側に流れて風呂熱交換器３１を通過して往き流路３２ｂに至り、往き流路３２ｂを通して浴槽Ｂに注がれることになるというように、戻り流路３２ａ及び往き流路３２ｂの双方を通して両搬送により所定量が注湯されて、浴槽Ｂが湯張りされることになる。
【００３３】
この注湯運転制御の最中に高温異常対策制御に係るサブルーチンが並行して実行されて、高温異常判定が確定する場合には対策制御が実行されることになる。かかる高温異常対策制御について図３のフローチャートを参照しつつ説明する。すなわち、往き温度センサ３６の検出温度が所定の判定温度（例えば５０℃）以上の状態を所定の設定時間（例えば５秒間）継続するという条件を満足するか否かを確認し（ステップＳＡ１）、かかる条件が成立しなければ問題はないためこのステップＳＡ１の確認を繰り返して監視を続ける（ステップＳＡ１でＮＯ）。もしも、往き温度センサ３６の検出温度が設定時間継続して判定温度以上となる高温異常が検知されれば（ステップＳＡ１でＹＥＳ）、次に、真に高温異常が生じているか否かの判定処理を行う（ステップＳＡ２以降）。ステップＳＡ２でまず高温判定回数Ｎ（初期設定はゼロ）が所定の設定回数α（例えばα＝３）を超えているか否かの確認を行い、設定回数αを超えていなければ（ステップＳＡ２でＮＯ）、循環ポンプ３３を一定時間だけ強制作動させた後に停止させ、前記の高温判定回数Ｎに「１」を加える、つまりインクリメントする（ステップＳＡ３）。
【００３４】
前記の循環ポンプ３３を作動させる一定時間とは、循環ポンプ３３の作動により、それまでの両搬送状態が浴槽Ｂ−戻り流路３２ａ−風呂熱交換器３１−往き流路３２ｂ−浴槽Ｂという向きへの一方通行の流れ状態に強制的に変更（強制循環）して、もしも、風呂熱交換器３１の出口３１ｂ下流側の往き路３２ｂに滞留状態が発生していたとしても、それを解消し得る時間値である。この流れ状態の強制変更により、注湯路４１の接続構成が両搬送可能ではあるものの、追焚循環路３２の戻り流路３２ａや往き流路３２ｂから浴槽Ｂまで延びる機外の風呂配管の配管状況に基づく通路抵抗、浴槽Ｂに設置される循環アダプタに基づく通路抵抗や、追焚循環路３２に介装される循環ポンプ３３等に基づく通路抵抗に起因して戻り側と往き側とに通路抵抗のアンバランスが生じ、その結果、往き流路３２ｂ側に滞留が仮に生じていたとしても、その滞留を解消させることができる。このため、前記の滞留に起因して風呂熱交換器３１を通る熱源循環路５１又は６８内の熱源（高温水）からの伝熱により往き温度センサ３６位置の滞留水が昇温し、その結果、前記の高温異常が発生したのであれば（ステップＳＡ１でＹＥＳ）、前記の循環ポンプ３３の強制作動によりその高温異常状態を解消させることができ、これにより、ステップＳＡ３の処理後に、再度、ステップＳＡ１に戻って往き温度センサ３６による検出温度を確認すれば、高温異常は解消している筈である。つまり、往き温度センサ３６の検出温度が判定温度よりも低いか設定時間継続しなければ（ステップＳＡ１でＮＯ）、高温の滞留水が解消されて滞留に起因する高温異常発生が解消されたのであり、以後、ステップＳＡ１の温度確認を繰り返す。
【００３５】
一方、ステップＳＡ３で循環ポンプ３３を一定時間強制作動させた後にその循環ポンプ３３の作動を停止させたものの、ステップＳＡ１に戻って往き温度センサ３６の検出温度を確認すると、やはり設定時間継続して判定温度以上となっている場合には（ステップＳＡ１でＹＥＳ）、高温判定回数Ｎが設定回数αを超えない間は（ステップＳＡ２でＮＯ）、再度、循環ポンプ３３を一定時間だけ強制作動させて高温判定回数Ｎをインクリメントした上で（ステップＳＡ３）、ステップＳＡ１に戻って検出温度の確認を行う。このような設定時間継続して判定温度以上となる高温異常の発生（ステップＳＡ１でＹＥＳ）及び判定処理（ステップＳＡ３）を設定回数αだけ繰り返しても高温異常が解消されなければ（ステップＳＡ２でＹＥＳ）、もはや前記の判定処理を繰り返すことなく、最終的に高温異常検知と判定（高温異常判定の確定）し、リモコン９１を用いてユーザに対し音声又は表示等によるエラー報知を行い、注湯運転を強制停止（注湯弁４２の閉作動）する（ステップＳＡ４）。つまり、滞留以外の原因、例えば熱動弁５２又は６８ａの故障（閉作動させても開状態から閉側に作動しない開故障）により熱源（高温水）が風呂熱交換器３１に循環供給され続ける結果生じた高温異常と判断して、ステップＳＡ４の対策制御を実行することとしている。
【００３６】
以上の高温異常対策制御によって、例えば往き温度センサ３６の設置位置付近の往き流路３２ｂに高温の湯水が滞留していたり、往き温度センサ３６が風呂熱交換器３１に近すぎて僅かな状況変化で熱源循環路５１（６８）から伝熱を受け易くなっていたりすることに起因する高温異常の発生を、熱動弁５２又は６８ａの故障等の本来のメンテナンス要の異常発生として誤判定することを回避することができ、これにより、高温異常について誤検知することを確実に防止することができるようになる。その一方、前記の本来のメンテナンス要の異常発生のときには（ステップＳＡ１〜ＳＡ３をα回繰り返してステップＳＡ２でＹＥＳ）、高温異常判定の確定により（ステップＳＡ４）、エラー報知や注湯運転の強制停止という対策制御を確実に実行することができる。
【００３７】
＜第２実施形態＞
図４は第２実施形態に係る高温対策制御のフローチャートを示す。この第２実施形態の高温対策制御は、判定処理において循環ポンプ３３の一定時間だけの強制作動（強制循環）に加え、その後に、注湯弁４２を一旦閉作動させた上で再び開作動させるというリセット作動処理を追加したものである（ステップＳＡ３′参照）。それ以外の各ステップ（ステップＳＡ１，ＳＡ２，ＳＡ４）は第１実施形態のそれと同じであるため、重複した詳細説明を省略する。
【００３８】
この場合には、本来は開状態である筈の注湯弁４２に対し閉作動−開作動という閉・開の作動を強制的に加える、つまり、注湯弁４２をリセット作動させて開状態に復帰させる作動制御を加えることで、仮に注湯弁４２に突発的又は一過性の不調現象が生じて本来は開状態の筈が閉状態に解除されているなどの不具合が発生し、これに起因する高温異常が発生しても、かかる高温異常の発生を、前記の本来のメンテナンス要の異常発生として検出することを回避することができ、これにより、高温異常についての誤検知することを確実に防止することができるようになる。
【００３９】
すなわち、注湯弁４２が例えば低電圧電磁弁により構成され、このため、開状態がパルス電流の印加により維持されているような場合、僅かな衝撃等に起因して開吸着状態が解除されて閉状態に戻ってしまうという突発的又は一過性の不調現象が生じ、このため、注湯自体が停止されて往き流路３２ｂ内の流れが停止されてしまう結果、風呂熱交換器３１からの伝熱により往き温度センサ３６に高温異常が生じてしまうことが起こり得る。もしも、このような不具合が発生すると、循環ポンプ３３を一定時間だけ作動させたとしても、元々、注湯弁４２が閉じていれば、強制的な流れを発生させることもできなくなるおそれがある。このような場合であっても、前記の注湯弁４２を一旦閉作動させて再び開作動させるというリセット作動処理を加えることで、不調現象が解消され、正常に注湯を続行させることができるようになり、以後は高温異常（往き温度センサ３６の検出温度が設定時間継続して判定温度以上）が生じることはなくなる。
【００４０】
そして、万が一、往き温度センサ３６の検出温度が所定時間継続して判定温度以上である高温異常の検知（ステップＳＡ１でＹＥＳ）が、判定処理をその都度実行（ステップＳＡ３′）して高温判定回数Ｎがα回になるまで繰り返す間に解消しなければ、真に本来のメンテナンス要の異常状態に陥っていると判定して対策制御が実行される（ステップＳＡ４）。これにより、高温異常についての誤検知発生を防止しつつも、真に必要な対策制御を実行することができるようになる。
【符号の説明】
【００４１】
３      追焚循環回路
４      注湯回路
６      暖房温水循環回路
９      コントローラ（高温異常対策制御手段）
３１    風呂熱交換器
３２    追焚循環路
３２ａ  戻り流路
３２ｂ  往き流路
３３    循環ポンプ
３６    往き温度センサ（往き流路に設けられた温度センサ）
４２    注湯弁
５１，６８    熱源循環路
５２，６８ａ  熱動弁
【図１】
2012037208.tif 000003
【図２】
2012037208.tif 000004
【図３】
2012037208.tif 000005
【図４】
2012037208.tif 000006